(57)【要約】【課題】  電気機器が大きな衝撃を受けても、開閉カバーの動作感触を得るための板ばねがその取付け箇所から脱落することを防ぐ。【解決手段】  フロントパネル１０に取り付けた開閉カバー２０の揺動中心軸２１の偏心箇所に突起２３を設ける。突起２３に弾接する板ばね３０を、フロントパネル１０側の孔部１３に差し込んで取り付けてある。板ばね３０の取付部３１が、孔部１３から抜け出ることを防ぐ押さえ片部６０を、フロントパネル１０に固着した押ボタンユニット４０のフレーム３５に樹脂で一体に成形しておく。配線基板５０に押さえ片部６１を突き当てておく。【選択図】        図２
2009099631.tif 000002
【特許請求の範囲】
【請求項１】
筐体に開閉揺動可能に取り付けられた開閉カバーの揺動中心軸の偏心箇所に設けられた突起とこの突起に弾接する板ばねとを有し、開閉カバーの揺動により上記突起が上記板ばねの中立位置の片側に摺動変位されることによって、上記板ばねが、上記開閉カバーを閉方向に揺動させる方向にその突起を弾発付勢し、かつ、開閉カバーの揺動により上記突起が上記板ばねの中立位置の他側に摺動変位されたときには、上記板ばねが、上記開閉カバーを開方向に揺動させる方向にその突起を弾発付勢するようになっていると共に、上記筐体に、押ボタンユニットのフレームが固着され、その押ボタンユニットの設置位置の背部に、その押ボタンユニットの操作を通じて切換え制御されるスイッチ素子を搭載した配線基板が配備されている電気機器筐体において、
上記板ばねが、上記突起に当接する作用部と、上記筐体に設けられた孔部に差し込まれて係止されている取付部とを備えて、上記作用部による突起の付勢方向が、上記孔部に対する上記取付部の差込み方向に沿う方向に定められていると共に、上記取付部に、上記押ボタンユニットのフレームから延び出た押さえ片部を重ね合わせて上記孔部からの上記取付部の抜け出しを阻止させていることを特徴とする電気機器筐体の開閉カバー取付け構造。
【請求項２】
上記配線基板が上記押さえ片部に重なり合っていて、その配線基板により、上記孔部からの上記取付部の抜出し方向に上記押さえ片部が変位することを阻止させている請求項１に記載した電気機器筐体の開閉カバー取付け構造。
【請求項３】
上記取付部が、上記孔部に対する差込み片部と、この差込み片部の先端に曲成されている係止爪と、上記差込み片部の根元に曲成されている板片部とを有し、上記孔部とその孔部に差し込まれた上記取付部との係止箇所では、上記孔部に設けられているリブに上記取付部に設けられた係止爪が係止している請求項１又は請求項２に記載した電気機器筐体の開閉カバー取付け構造。
【請求項４】
上記押さえ片部が、上記フレームからその背方へ延び出て上記配線基板に突き当たっている第１突片部と、この突片部から直角に突出して上記取付部の板片部に重なり合っている第２突片部と、を備えている請求項３に記載した電気機器筐体の開閉カバー取付け構造。
【発明の詳細な説明】
【技術分野】
【０００１】
本発明は、電気機器筐体の開閉カバー取付け構造に関する。特に、板ばねの作用によって、開閉カバーがその中立位置の片側に変位されたときに閉方向に付勢されるのに対し、開閉カバーがその中立位置の他側に変位されたときに開方向に付勢されるようになっている電気機器筐体の開閉カバー取付け構造に関する。
【背景技術】
【０００２】
図４は従来例による電気機器筐体の開閉カバー取付け構造の分解斜視図、図５は同従来例による上記開閉カバー取付け構造において、開閉カバーが閉じている状態での縦断面図、図６は同従来例による上記開閉カバー取付け構造において、開閉カバーが開いている状態での縦断面図である。以下、従来例を説明する。
【０００３】
図４〜図６のように、この開閉カバー取付け構造では、電気機器の筐体の一部を形成しているフロントパネル１０に開閉カバー２０が取り付けられている。この開閉カバー２０は、下端部にフロントパネル１０に回転可能に取り付けられた揺動中心軸２１を中心にして開閉揺動可能になっている。そして、図６に示したように開閉カバー２０を前倒れ姿勢に開くと、フロントパネル１０に配備されている各種の操作部（不図示）をユーザが操作することができるようになっている。また、それらの操作部を操作する必要がないときには、図５に示したように、開閉カバー２０を閉じてその操作部を覆い隠すことができるようになっている。
【０００４】
開閉カバー２０には、フロントパネル１０の下端部に開設されている開口１１内に回転変位可能に配備された膨出部２２が備わっていて、この膨出部２２に、上記揺動中心軸２１に対する偏心箇所に位置している突起２３が設けられている。一方、フロントパネル１０には、上記開口１１の上方に位置する孔付き突部１２が設けられていて、この孔付き突部１２の孔部１３に板ばね３０の取付部３１が差し込まれて係止されている。板ばね３０は、上記した取付部３１に作用部３２が連設されていて、その作用部３２が、上記開閉カバー２０に設けられている突起２３に弾接している。
【０００５】
このほか、フロントパネル１０には押ボタンユニット４０が装備されているのに対し、その押ボタンユニット４０の設置位置の背部に配線基板５０が配備されている。そして、この配線基板５０に搭載されているスイッチ素子１００が、上記押ボタンユニット４０を操作することによって切換え制御されるようになっている。
【０００６】
以上のように構成されている従来例に係る開閉カバー取付け構造において、開閉カバー２０が閉じているときには、図５のように、板ばね３０の弾性によりその作用部３２が開閉カバー２０側の突起２３を下向きに弾発付勢している。そのため、開閉カバー２０が図５に示した閉状態に保たれている。これに対し、ユーザが開閉カバー２０を開くと、その過程で突起２３が板ばね３０の作用部３２を変位させつつその作用部３２と摺動する。そして、図５に符号Ｎで示した板ばね３０の中立位置を越えて突起２３が作用部３２に対して上方へ摺動変位すると、突起２３が板ばね３２の中立位置Ｎを越えた時点で、板ばね３０の弾性によりその作用部３２が突起２３を上向きに弾発付勢するようになる。したがって、開閉カバー２０が板ばね３２の弾発付勢作用によって開き方向に揺動して、図６のように前倒れ姿勢に開く。これに対し、開閉カバー２０が図６のように開いているときに、ユーザがその開閉カバー２０を閉じ方向に押し込むと、それに伴って突起２３が板ばね３０の中立位置Ｎを越えて突起２３が作用部３２に対して下方へ摺動変位する。そのため、突起２３が板ばね３２の中立位置Ｎを越えた時点で、板ばね３０の弾性によりその作用部３２が突起２３を下向きに弾発付勢するようになり、開閉カバー２０が板ばね３２の弾発付勢作用により閉じ方向に揺動して、図５のように閉じる。したがって、ユーザにとっては、板ばね３０による作用によって、開閉カバー２０の開閉時に好ましい動作感触が得られる。
【０００７】
図４〜図６を参照して説明した従来例の上記開閉カバー取付け構造では、板ばね１３が、その取付部３１をフロントパネル２０側の孔部１３に差し込むことによってそのフロントパネル２０に固着されているだけである。しかも、板ばね１３の取付部３１を孔部１３に差し込むときの作業性を高めることなどのために、孔部１３の対向部分には、取付部３１を位置させることができるスペースが確保されている必要がある。そのため、従来例では、孔部１３に差し込まれた板ばね３０の取付部３１の背部が空間スペースＳ（図５参照）として放置されていた。
【０００８】
一方、従来より、タクトスイッチを押ボタンの操作を通じて動作させる場合に、押ボタンの押込み動作を板ばねを会してタクトスイッチに作用させることが行われている（たとえば、特許文献１、突起文献２、特許文献３参照）。
【特許文献１】特開平１１−２８３４５８号公報
【特許文献２】特開平６−４４８６６号公報
【特許文献３】実開平７−２５５３６号公報
【発明の開示】
【発明が解決しようとする課題】
【０００９】
しかしながら、図５などに示したように、孔部１３に差し込まれた板ばね３０の取付部３１の背部が空間スペースＳ（図５参照）として放置されていると、当該電気機器が、落下させたときに発生するような大きな衝撃を受けたようなときに、その影響で板ばね３０の取付部３１が孔部１３から外れて抜け出てしまったり、あるいは、取付部３１が孔部１３からの抜出し方向に位置ずれしてしまったりすることが起こり得る。そして、仮に板ばね３０が孔部１３から抜け出てしまうと、板ばね３０の作用がまったく発揮されなくなり、開閉カバー２０の開閉時の上述したような動作感触が得られなくなる。また、取付部３１が位置ずれすると、開閉カバー２０の開閉時の動作感触が鈍くなったり得られなくなったりして電気機器自体の動作品位が低下してしまうことになる。
【００１０】
そこで、本発明は、板ばねが、その取付部をフロントパネルなどの筐体側に設けられている孔部に差し込むことによって筐体に固着されているような開閉カバーの取付け構造において、当該電気機器が大きな衝撃を受けても、その影響で板ばねの取付部が孔部から外れて抜け出てしまったり、取付部が位置ずれしてしまったりすることを無くすることにより、開閉カバーの開閉時の動作感触を常に正常に発揮させることのできる電気機器筐体の開閉カバー取付け構造を提供することを目的とする。
【課題を解決するための手段】
【００１１】
本発明に係る電気機器筐体の開閉カバー取付け構造は、筐体に開閉揺動可能に取り付けられた開閉カバーの揺動中心軸の偏心箇所に設けられた突起とこの突起に弾接する板ばねとを有し、開閉カバーの揺動により上記突起が上記板ばねの中立位置の片側に摺動変位されることによって、上記板ばねが、上記開閉カバーを閉方向に揺動させる方向にその突起を弾発付勢し、かつ、開閉カバーの揺動により上記突起が上記板ばねの中立位置の他側に摺動変位されたときには、上記板ばねが、上記開閉カバーを開方向に揺動させる方向にその突起を弾発付勢するようになっている。また、この発明では、上記筐体に、押ボタンユニットのフレームが固着され、その押ボタンユニットの設置位置の背部に、その押ボタンユニットの操作を通じて切換え制御されるスイッチ素子を搭載した配線基板が配備されている。
【００１２】
そして、上記板ばねが、上記突起に当接する作用部と、上記筐体に設けられた孔部に差し込まれて係止されている取付部とを備えて、上記作用部による突起の付勢方向が、上記孔部に対する上記取付部の差込み方向に沿う方向に定められていると共に、上記取付部に、上記押ボタンユニットのフレームから延び出た押さえ片部を重ね合わせて上記孔部からの上記取付部の抜け出しを阻止させている。
【００１３】
この構成であると、筐体に固着されている押ボタンユニットのフレームに、上記取付部に重なり合ってその取付部が孔部から抜け出ることを阻止する押さえ片部を設けてあるので、衝撃の影響を受けて板ばねの取付部が孔部から抜け出たり位置ずれしたりすることがなくなる。また、板ばねを孔部に差し込んだ後で押ボタンユニットを筐体に固着するという組立手順を採用することによって、押さえ片部が板ばねの取付部に重なり合うので、上記押さえ片部が、板ばねの取付部を孔部に差し込むときの作業性を阻害することにはならない。
【００１４】
本発明では、上記配線基板が上記押さえ片部に重なり合っていて、その配線基板により、上記孔部からの上記取付部の抜出し方向に上記押さえ片部が変位することを阻止させている、という構成を採用することが可能である。これによれば、孔部からの取付部の抜出しや位置ずれを阻止している押さえ片部が配線基板によってバックアップされるために、押さえ片部による上記したような抜出し阻止作用や位置ずれ防止作用がいっそう確実に発揮されるようになる。
【００１５】
本発明では、上記取付部が、上記孔部に対する差込み片部と、この差込み片部の先端に曲成されている係止爪と、上記差込み片部の根元に曲成されている板片部とを有し、上記孔部とその孔部に差し込まれた上記取付部との係止箇所では、上記孔部に設けられているリブに上記取付部に設けられた係止爪が係止していることが望ましい。これによれば、取付部自体も、孔部からの抜出し阻止作用や位置ずれ防止作用を発揮するので、それらの作用の安定性が向上する。
【００１６】
本発明では、上記押さえ片部が、上記フレームからその背方へ延び出て上記配線基板に突き当たっている第１突片部と、この突片部から直角に突出して上記取付部の板片部に重なり合っている第２突片部と、を備えている、という構成を採用することが可能である。  
【発明の効果】
【００１７】
以上のように、本発明によれば、電気機器が大きな衝撃を受けても、その影響で板ばねの取付部が孔部から外れて抜け出てしまったり、取付部が位置ずれしてしまったりすることが無くなるので、開閉カバーの開閉時の動作感触が常に正常に発揮されるようになって、電気機器筐体の開閉カバーの開閉時の動作安定性や電気機器自体の動作品位が向上するという効果が奏される。
【発明を実施するための最良の形態】
【００１８】
図１は本発明の実施形態に係る電気機器筐体の開閉カバー取付け構造の分解斜視図、図２は同開閉カバー取付け構造において、開閉カバーが閉じている状態での縦断面図、図３は孔付き突部１２と板ばね３０の取付部３１とを示した分解斜視図である。
【００１９】
図１〜図３のように、電気機器の筐体の一部を形成しているフロントパネル１０に開閉カバー２０が取り付けられている。開閉カバー２０は、下端部にフロントパネル１０に回転可能に取り付けられた揺動中心軸２１を中心にして開閉揺動可能になっている。そして、開閉カバー２０を前倒れ姿勢に開くと、フロントパネル１０に配備されている各種の操作部（不図示）をユーザが操作することができるようになっている。また、それらの操作部を操作する必要がないときには、図２に示したように、開閉カバー２０を閉じてその操作部を覆い隠すことができるようになっている。
【００２０】
開閉カバー２０には、フロントパネル１０の下端部に開設されている開口１１内に回転変位可能に配備された膨出部２２が備わっていて、この膨出部２２に、上記揺動中心軸２１に対する偏心箇所に位置している突起２３が設けられている。一方、フロントパネル１０には、上記開口１１の上方に位置する孔付き突部１２が設けられている。図３に示したように、この孔付き突部１２は、互いに対称な形状を有するＬ形部１２ａとそれらのＬ形部１２ａ，１２ａの端部間に亘る上板部１２ｂを有していて、それらのＬ形部１２ａ，１２ａと上板部１２ｂとによって孔部１３が略矩形に形作られている。また、上記上板部１２ｂの幅方向中央部に、孔部１３の深さ方向に延びるリブ１４が設けられている。
【００２１】
板ばね３０は、取付部３１とその取付部３１に連設された作用部３２とを有している。図３に拡大して示したように、取付部３１は、差込み片部３１ａと、この差込み片部３１ａの先端に直角に曲成されている係止爪３１ｂと、差込み片部３１ａの根元に直角に曲成されている板片部３１ｃとを有し、板片部３１ｃに上記作用部３２が連設されている。そして、図２のように、板ばね３０の差込み片部３１ａが上記孔部１３に差し込まれていると共に、上記係止爪３１ｂが上記孔部１３の内部でリブ１４に係止している。このように係止爪３１ｂがリブ１４に係合して孔部１３からの差込み片部３１ａの抜出しを防いでいるので、開閉カバー２０を開閉するという通常の動作（後述する）によって、板ばね３０の取付部３１が孔部１３から抜け出たり抜出し方向に位置ずれしたりすることはない。
【００２２】
図１のように、押ボタンユニット４０は、上下２つの押ボタン４１，４２のそれぞれが、樹脂ヒンジ４３，４４を介して、それらの押ボタン４１，４２を取り囲むように形作られたコ字形のフレーム４５に連結されてなる。また、フレーム４５には、フロントパネル１０の複数箇所に突設されている溶着用のボス１５…が差し込まれる挿通孔４６…が貫設されている。この押ボタンユニット４０をフロントパネル１０に固着する工程では、押ボタンユニット４０のフレーム４５の各挿通孔４６…に、上記ボス１５…を挿通させた後、それらのボス１５…とフレーム４５とを溶着するという作業が行われる。
【００２３】
この実施形態において、押ボタンユニット４０のフレーム４５には押さえ片部６０が樹脂で一体成形されている。図例の押さえ片部６０は、フレーム４５からその背方へ延び出た第１突片部６１と、この第１突片部６１から直角に突出している第２突片部６２とを備えている。特に、この実施形態では、形状が簡素な分割型を用いて押ボタンユニット４０と押さえ片部６０とを樹脂で一体成形することのできる構成を採用している。すなわち、フレーム４５の下辺から板片状の上記第１突片部６１を背方へ突出させてあると共に、第２突片部６２を、フレーム４５の下辺の下方へ突き出る形態で第１突片部６１に連設してある。
【００２４】
上記のように、押さえ片部６０が押ボタンユニット４０に一体に形成されていると、板ばね３０をフロントパネル１０に上記のようにして取り付けた後に、押ボタンユニット４０のフレーム４５を上記のようにフロントパネル１０のボス１５を利用してそのフロントパネル１０に固着することにより、図２のように、押さえ片部６１の第２突片部６２が、板ばね３つの取付部３１に具備されている板片部３１ｃに重なり合う。このため、板ばね３０の差込み片部３１ａが孔部１３から抜け出たり位置ずれしたりすることが、押さえ片部６１によって阻止される。
【００２５】
フロントパネル１０に装備されている上記押ボタンユニット４０の設置位置の背部に配線基板５０が配備される。そして、この配線基板５０に搭載されているスイッチ素子１００が、押ボタンユニット４０の押ボタン４１，４２を操作することによって切換え制御されるようになっている。また、配線基板５０が、上記押さえ片部６０の第１突片６１の先端面に重なり合っている。ここで、配線基板５０は、押ボタンユニット４０をフロントパネル１０に固着した後で、フロントパネル１０に取り付けられて定位置に固定されている。このため、配線基板５０が押さえ片部６０の第１突片６１の先端面に重なり合っていると、その配線基板５０により押さえ片部６０の背方への変位が阻止される。
【００２６】
上記板ばね３０は、図２に示したように、その作用部３２が、開閉カバー２０に設けられている突起２３に弾接している。
【００２７】
以上のように構成されている開閉カバー取付け構造において、開閉カバー２０が閉じているときには、図２のように、板ばね３０の弾性によりその作用部３２が開閉カバー２０側の突起２３を下向きに弾発付勢して、開閉カバー２０が同図に示した閉状態に保っている。これに対し、ユーザが開閉カバー２０を開くと、その過程で突起２３が板ばね３０の作用部３２を変位させつつその作用部３２と摺動する。そして、板ばね３０の中立位置を越えて突起２３が作用部３２に対して上方へ摺動変位すると、突起２３が板ばね３２の中立位置Ｎ（図５参照）を越えた時点で、板ばね３０の弾性によりその作用部３２が突起２３を上向きに弾発付勢するようになる。したがって、開閉カバー２０が板ばね３２の弾発付勢作用によって開き方向に揺動して前倒れ姿勢に開く（図６参照）。これに対し、開閉カバー２０が開いているときに、ユーザがその開閉カバー２０を閉じ方向に押し込むと、それに伴って突起２３が板ばね３０の中立位置を越えて突起２３が作用部３２に対して下方へ摺動変位する。そのため、突起２３が板ばね３２の中立位置を越えた時点で、板ばね３０の弾性によりその作用部３２が突起２３を下向きに弾発付勢するようになり、開閉カバー２０が板ばね３２の弾発付勢作用により閉じ方向に揺動して、図２のように閉じる。したがって、ユーザにとっては、板ばね３０による作用によって、開閉カバー２０の開閉時に好ましい動作感触が得られる。この動作自体は、図５又は図６を参照して説明した従来例によるそれと同様である。
【００２８】
この実施形態では、図２に示したように、押ボタンユニット４０に樹脂で一体成形されている押さえ片部６１の第２突片部６２が、板ばね３つの取付部３１に具備されている板片部３１ｃに重なり合って、板ばね３０の差込み片部３１ａが孔部１３から抜け出たり位置ずれしたりすることを阻止している。加えて、フロントパネル１０に取り付けられている配線基板５０によって、上記押さえ片部６０の第１突片６１がバックアップされている。このため、押さえ片部６１と配線基板５０との両方が、孔部１３に対する板ばね３０の取付部３１の抜出しや位置ずれを阻止する作用を発揮していることになる。そのため、この実施形態によると、電気機器に落下衝撃のように解きな衝撃が加わった場合であっても、開閉カバー２０の開閉時の動作感触が常に正常に発揮されるようになって、電気機器筐体の開閉カバーの開閉時の動作安定性や電気機器自体の動作品位が向上する。
【図面の簡単な説明】
【００２９】
【図１】本発明の実施形態に係る電気機器筐体の開閉カバー取付け構造の分解斜視図である。
【図２】同開閉カバー取付け構造において、開閉カバーが閉じている状態での縦断面図である。
【図３】孔付き突部と板ばねの取付部とを示した分解斜視図である。
【図４】従来例による電気機器筐体の開閉カバー取付け構造の分解斜視図である。
【図５】同従来例による開閉カバー取付け構造において、開閉カバーが閉じている状態での縦断面図である。
【図６】同従来例による開閉カバー取付け構造において、開閉カバーが開いている状態での縦断面図である。
【符号の説明】
【００３０】
１０  フロントパネル
１３  孔部
１４  リブ
２０  開閉カバー
２１  揺動中心軸
２３  突起
３０  板ばね
３１  板ばねの取付部
３１ａ  差込み片部
３１ｂ  係止爪
３１ｃ  板片部
３２  板ばねの作用部
４０  押ボタンユニット
４５  押ボタンユニットのフレーム
５０  配線基板
１００  スイッチ素子
６０  押さえ片部
６１  第１突片部
６２  第２突片部
Ｎ  板ばねの中立位置
【図１】
2009099631.tif 000003
【図２】
2009099631.tif 000004
【図３】
2009099631.tif 000005
【図４】
2009099631.tif 000006
【図５】
2009099631.tif 000007
【図６】
2009099631.tif 000008